(57)【要約】      （修正有）【課題】使用が容易で親しみやすく、幅広い重量調節が可能で、汎用性に優れているので熟練度・使用者の年齢や性別・トレーニング内容等に幅広く対応でき、豊富な運動パターンを実施でき、かつ安全で、著しくコンパクト性に優れるので携帯性に優れ、枕や抱き枕としても使用できる運動器具を提供する。【解決手段】錘を収納する複数の錘収納チューブと、錘収納チューブを収容する筒状体と、を備える。錘収納チューブが、ウエイト部材を供給排出するための給排口部を有し、筒状体が、長手方向の一端もしくは両端に錘収納チューブを出し入れするための開閉口部と、外周面に形成されたバンド部又は把持部と、を備える。【選択図】図５
0003154420.tif 000002
【実用新案登録請求の範囲】
【請求項１】
錘を収納する複数の錘収納チューブと、
前記錘収納チューブを収容する筒状体と、
を備えた運動器具であって、
前記錘収納チューブが、ウエイト部材を供給排出するための給排口部を有し、
前記筒状体が、長手方向の一端もしくは両端に前記錘収納チューブを出し入れするための開閉口部と、
外周面に形成されたバンド部又は把持部と、を備えたことを特徴とする運動器具。
【請求項２】
前記筒状体の内部を区分して、前記錘収納チューブを収容するための収容ポケットを備えたことを特徴とする請求項１に記載の運動器具。
【請求項３】
前記筒状体が２以上の筒状分体からなり、
前記筒状分体の一端に設けられた開閉口部と他端に底部、もしくは両端に設けられた開閉口部と、
前記筒状分体の一端に各々の前記筒状分体同士を相互に着脱自在に接続する接続部と、を備えている
ことを特徴とする請求項１乃至２のうちいずれか一項に記載の運動器具。
【請求項４】
前記筒状分体の、前記接続部を覆う覆い布を備えていることを特徴とする請求項３に記載の運動器具
【請求項５】
前記バンド部又は前記把持部が前記筒状体又は前記筒状分体内部に収容可能になっている請求項１乃至４のうちいずれか一項に記載の運動器具
【考案の詳細な説明】
【技術分野】
【０００１】
本考案は、ウエイトトレーニング等に使用する運動器具に関するものである。更に詳しくは、水等のウエイト部材を充填して重量を調節可能にしたウエイトトレーニング用の運動器具に関するものである。
【背景技術】
【０００２】
従来、身体を鍛える為のウエイトトレーニング器具には、バーベル、鉄アレイや、ダンベル等が知られている。しかしバーベルは鉄製であるので相当の重量があり、安全に使用する為の知識と設備が必要で、トレーニング中においても安全に相当な配慮をしなければならず、持ち運びも著しく困難である等の課題があり、一般に親しみやすいウエイトトレーニング器具ではない。
鉄アレイや、ダンベルはバーベルに比べて小型で利用し易いが、鉄製でその大きさの割に重量があり、これも安全に使用するには知識と注意が必要で、持ち運びが困難である等の課題がある。また鉄アレイの場合、重量の調節ができないので熟練度・使用者の年齢や性別・トレーニング内容によって様々な重さの鉄アレイを用意する必要がある等の問題があった。
【０００３】
これらの課題解決のために、（特許文献１）には把持部を有する合成樹脂製の中空の棒状体の両端に、合成樹脂製で中空体の１個または複数個のウエイトが着脱自在に設けられ、棒状体及びウエイトの各々に水や砂或いはコインの様なウエイト部材を充填する注入口が形成され、注入口には閉塞用のキャップが取り外し自在に付設されて成るダンベルが開示されている。
（特許文献２）には、弾性素材よりなるボールと、同ボールの表面に設けた把持部と、同ボール内に収納した重錘とより構成したトレーニング用具が開示されている。
（特許文献３）には、管の内部に粒状のおもりを入れて両端部を盲蓋で蓋をし、粒状おもりが管内を移動させる運動棒が開示されている。
【先行技術文献】
【特許文献】
【０００４】
【特許文献１】特開平９−２９９５０５
【特許文献２】実開平５−４１１５２
【特許文献３】実開平２−３９７６３
【考案の概要】
【考案が解決しようとする課題】
【０００５】
しかしながら、上記従来の技術においては、次の様な課題を有していた。
（１）（特許文献１）には、把持部を有する合成樹脂製の中空の棒状体の両端に、合成樹脂製で中空体の１個または複数個のウエイトが着脱自在に設けられ、棒状体及びウエイトの各々に水や砂或いはコインの様なウエイト部材を充填する注入口が形成され、注入口には閉塞用のキャップが取り外し自在に付設されて成るダンベルが示されている。しかしながら、ウエイト部材の充填量を調節する事で重さを調節する事が可能ではあるものの、容量限界まで充填しても比較的軽い重量にしかならず、かつ実施可能な運動パターンに乏しいことに加え、硬質なので持ち運び時や収納時に水を抜いて軽量化できても折りたたみができずコンパクト性に欠けるという課題があった。
（２）（特許文献２）には、弾性素材よりなるボールと、同ボールの表面に設けた把持部と、同ボール内に収納した重錘とより構成したトレーニング用具が示されているが、弾性素材で安全性に優れ、砂の量で重さの調節が可能ではあるものの、重量が増えるにつれ定型性が悪くなる傾向があり、また実施可能な運動パターンが乏しいという課題があった。
（３）（特許文献３）には、管の内部に粒状のおもりを入れて両端部を盲蓋で蓋をし、粒状のウエイト部材を管内で移動させる運動棒が示されているが、管内のウエイト部材の量を調整する事で重さの調整が可能ではあるものの、運動パターンに乏しく、更に、硬質の管を使用するため安全性に欠けるうえに、コンパクト性にも欠けるとともに携帯性に欠けるという課題があった。
【０００６】
本考案は上記従来の課題を解決するもので、使用が容易で親しみやすく、幅広い重量調節が可能なので、性別や老若を問わず汎用性に優れているので熟練度・トレーニング内容に幅広く対応でき、豊富な運動パターンを実施でき、かつ安全で、著しくコンパクト性に優れるので携帯性に優れ、更に形態の自在性・柔軟性から枕や抱き枕としても使用できる運動器具を提供することを目的とする。
【課題を解決するための手段】
【０００７】
上記課題を解決するために、本考案の運動器具は以下の様な構成を有している。
請求項１に記載の運動器具は、錘を収納する複数の錘収納チューブと、前記錘収納チューブを収容する筒状体と、を備えた運動器具であって、前記錘収納チューブが、ウエイト部材を供給排出するための給排口部を有し、前記筒状体が、長手方向の一端もしくは両端に前記錘収納チューブを出し入れするための開閉口部と、外周面に形成されたバンド部又は把持部と、を備えた構成を有している。
この構成により以下の様な作用が得られる。
（１）複数本錘収納チューブを用いることで、重量を分散できる。
（２）各錘収納チューブのウエイト部材の量を調整することで重量の調節ができる。
（３）前記錘収納チューブを筒状体に収容する事で、前記錘収納チューブ複数本を纏めて収容できるので、幅広い重量調整が可能であることに加え、筒状体の外周に設けられたバンド部又は把持部によってウエイトリフティングや更に柔軟性を加えた様々な運動パターンが可能になる。
（４）錘収納チューブに不透水性かつ弾性もしくは軟質の素材を使用し、筒状体に布や網地、帆布、皮革、人工皮革、合成樹脂製シート、ゴム製シート等の柔軟性のあるの素材を使用する事により重量物でありながら著しく優れた安全性を得ることができ、かつウエイト部材を排出した後はコンパクトに折りたたむことができるので、携帯性に優れる。
（５）錘収納チューブに不透水性かつ弾性もしくは軟質の素材を使用して水を充填し、筒状体に布や網地、帆布、皮革、人工皮革、合成樹脂製シート、ゴム製シート等の柔軟性のある素材を使用する事により枕や抱き枕としても使用できる。
（６）バンド部を設けることにより、足等に固定する事もでき、多種多様な運動パターンでのトレーニングができる。
（７）組み立てと使用後の分解が容易なので、ホテル等何処でもトレーニングができる。
【０００８】
ここで、ウエイト部材としては水が好ましい。どこでも入手でき簡単に使用できるが、その他の液体や小麦粉等の粉状体、米粒や砂等の粒状体、コイン等を使用することもできる。水での重さに慣れた場合は砂や鉛粒等にウエイト部材を変更して更に重い重量を得ることもできる。
【０００９】
錘収納チューブの材質は、不透水性かつ弾性もしくは軟質のものを用いるのが望ましく、具体的にはゴム、ポリウレタン、シリコンゴム、ポリエチレン、軟質塩化ビニル、皮革、人工皮革等があげられる。
なお、ウエイト部材に水もしくはその他の流体を用いずに粉状体や粒状体をウエイト部材として充填する場合には、不透水性を欠いていても前記ウエイト部材が錘収納チューブ外に漏れ出さない様な材質であれば使用する事ができる。例えばナイロン生地や帆布等を使用する事ができる。
錘収納チューブの形状は、主に円柱状の筒状体形状が好適に用いられるが、三角柱型や四角柱型でも良く、筒状体の収容ポケットに収容できれば様々な形状にすることができる。
錘収納チューブには３５０ｍｌ、５００ｍｌ、１ｌ、２ｌ等の各々の容量のペットボトルを使用することもでき、この場合使用済みのペットボトルを再利用した運動器具を得ることができる。
これら錘収納チューブは、筒状体の中で単独で使用しても良いし、複数本使用しても良い。複数本の錘収納チューブを使用する場合、各々の錘収納チューブを筒状体の軸方向に沿って平行若しくは筒状体の軸方向に沿って直線状に連続して収容してもよい。筒状体の軸方向に沿って平行に複数本の錘収納チューブを収納した場合、各々の錘収納チューブの出し入れが容易になる。筒状体の軸方向に沿って連続して短い錘収納チューブを収容した場合は、錘収納チューブへウエイト部材を最大充填量より少なく充填しても、筒状体の両端で重さのバランスを取れば運動時に重心がずれることがない。
錘収納チューブの大きさとして特に制限はないが、直径５ｃｍから１２ｃｍ程度、全長３５ｃｍから１００ｃｍ程度のものが好適に用いられる。錘収納チューブの重量にも特に制限はないが、１Ｋｇから４Ｋｇのものが好適に用いられる。
【００１０】
給排口部の設計は、ウエイト部材を充填し易い程度の大きさに設計するのが良く、概ね直径２〜６ｃｍ程度で高さ１〜３ｃｍ程度のものが好適である。更にスクリューキャップ構造等、封止性能を得られる様な構造を適宜用いる。
【００１１】
筒状体の材質は、布や網地、帆布、人工皮革、合成樹脂製シート、ゴム製のシート等の柔軟性のある素材が望ましい。
開閉口部は紐等で絞っても良く、筒状体と同一あるいは同質素材の蓋を設けて、ジッパーで開閉出来るようにしても良く、錘収納チューブが使用中に筒状体から抜け落ちない方法を適宜用いることができる。
筒状体の形状は四角柱型、三角柱型や円柱型などにすることができるが、使用のし易さ等を考慮して円柱型が好ましい。
筒状体の大きさとして特に制限はないが、直径１０ｃｍから３５ｃｍ程度、全長４０ｃｍから１２０ｃｍ程度のものが好適に用いられる。
【００１２】
バンド部は本発明の運動器具を足など身体の一部に固定するためのもので、面ファスナーやゴムバンド、あるいは挿抜可能な雌雄一対のバックルを用いるなどして体の一部に固定する。
把持部は本発明の運動器具を持つために筒状本体外周面に設けられるもので、取手や吊手等をいう。
バンド部及び把持部の素材は、布や人工皮革、合成樹脂等が望ましい。把持部は肩幅程度の場所に片手幅より大きめの程度の把持部を片手に一個ずつ設けても良いが、筒状体の中央から筒状体の両末端にかけてまたがる様に設けても良く、この場合把持可能な部分が増えて、各々の運動パターンで最適な場所を把持出来る。また、片手幅程度の把持部を掴み易い場所に複数個設けても良い。
【００１３】
実施可能な運動パターンとしては、本考案の運動器具の把持部等を持ちながら立った状態で屈伸運動・背筋運動・腹筋運動をしたり、把持部を持って腕を上下させたり、座った状態でバンド部を足に固定して上げ下げする等様々な運動パターンが考えられる。
また、使用者の熟練度が上がるにつれて重量を増加させたり、使用者の年齢や性別あるいはトレーニング内容によって重量を適宜調整（使用者が女性の場合は重量を軽く、あるいは脚部トレーニングの場合は重量をより重くする等）する事ができるので、本考案の運動器具一つで様々な運動ができるうえ、熟練度・使用者の年齢や性別・トレーニング内容に幅広く対応でき、汎用性に優れている。
【００１４】
請求項２に記載の考案は、請求項１に記載の運動器具であって、前記筒状体の内部を等分に区分して、前記錘収納チューブを収容するための収容ポケットを備えた構成を有している。
この構成により、請求項１で得られる作用に加え、以下の様な作用が得られる。
（１）筒状体の内部を収容ポケットで区分し収容ポケットで錘収納チューブを保持するので錘収納チューブを筒状体内部に安定的に収容する事ができる。
（２）前記収容ポケットを一枚の生地や網地で形成する場合、収容ポケットを形成する様に生地を備えた筒状体を容易に製造できる。
（３）収容ポケットにより錘収納チューブを保持するので、運動中に錘収納チューブが動くのを防ぐことができる。
【００１５】
錘収納チューブを収容する収容ポケットの素材は筒状体と同一素材のもので良いが、異なる素材を用いても良い。ただし、硬質のものを用いると小さく折りたたむことが困難になり、コンパクト性に欠けるので、布や網地、皮革、人工皮革、合成樹脂製シート、ゴム製シート等の柔軟性のあるものが望ましい。
また、収容ポケットは筒状本体内部に隔壁を設けることで形成される。そして、筒状体の内部を等分に区分すると重量バランスを取り易い。
【００１６】
次に、収容ポケットを備えた筒状体の作成方法について説明する。
もっとも簡易な方法としては、筒状体を形成する生地を表生地とし、隔壁を形成する生地を隔壁用生地として、（ａ）筒状体の外周面部を形成する表生地の生地端と、（ｂ）筒状体の内周面部に接合される隔壁用生地の生地端と、を縫設・接着・溶着等の接合手段で接合し、（ｃ）その後表生地と隔壁用生地との間に、収容する錘収納チューブが入るだけの空間を錘収納チューブの本数だけ形成する様に、隔壁用生地で凸状部を形成し、その凸状部と凸状部の間の谷を表生地に縫設・接着・溶着等の手段で接合した後に、（ｄ）隔壁用生地の凸状部を内側にして、筒状体の外周面部を形成する表生地の生地端同士を重ねるように縫設・接着・溶着等の接合手段で接合し、（ｅ）筒状体の底部を縫設・接着・溶着等の手段で接合した後、（ｆ）開閉口部として蓋部と蓋部ファスナー（蓋部と筒状本体とを接合する）を縫設したり、紐挿通部を作って開閉用紐を通す方法があげられる。
【００１７】
請求項３に記載の考案は、請求項１乃至２のうちいずれか一項に記載の運動器具であって、前記筒状体が２以上の筒状分体からなり、前記筒状分体の一端に設けられた開閉口部と他端に底部、もしくは両端に設けられた開閉口部と、前記筒状分体の一端に各々の前記筒状分体同士を相互に着脱自在に接続する接続部と、を備えている構成を有している。
この構成により、請求項１乃至２のうちいずれか一項で得られる作用に加え、以下の様な作用が得られる。
（１）筒状体を２以上の筒状分体に分離可能なので、軸方向の長さが筒状分体の軸方向の長さ以下の錘収納チューブを各々の筒状分体へ収容した場合、ダンベルの様にも使用でき、更に柔軟性を活かして多種多様な運動パターンでトレーニング可能である。
【００１８】
ここで、筒状分体は２つにするのが好ましいが、２以上にすることもできる。例えば３つの筒状分体とした場合は、中央に位置する筒状分体の長さを両端に位置する筒状分体よりも軸方向の長さを長く設定し、中央の筒状分体の錘収納チューブを省いて両端の筒状分体の錘収納チューブにのみウエイト部材を充填しておき、この中央の筒状分体を首の後ろに回し、両端の筒状分体を体前方にたらしてスクワット運動をしたり、中央の筒状分体を両足に乗せて腹筋運動時の足固定具として使用したりできる。
筒状体を２以上の筒状分体に分離する場合、軸方向の長さが筒状分体の軸方向の長さ以下の錘収納チューブを各々の筒状分体へ収容することで、筒状体から筒状分体へ分割してダンベルの様にも使用する事ができる。
（ａ）開閉口部と（ｂ）筒状分体同士の接続手段との位置関係に関して、筒状分体は開閉口部と、筒状分体同士の接続手段と、を同一の端部に有していても良い。
【００１９】
筒状分体には収容ポケットを設けることもでき、この場合各錘収納チューブが収容ポケットで保持されて、運動中に錘収納チューブが動くのを防ぐことができる。
また、錘収納チューブにペットボトルを使用する場合は、３５０ｍｌ、５００ｍｌ、１ｌ、２ｌ等の各々の容量のペットボトルに合わせて隔壁を形成することで、使用済みのペットボトを再利用することができる。
その他、隔壁を設けなくても筒状分体に上記各々の容量のペットボトルを単独で収納することもできるし、筒状分体の軸方向に直線状に連続して収容したり平行に収容することもできる。
【００２０】
筒状分体の大きさとして特に制限はないが、直径１０ｃｍから３５ｃｍ程度、全長２０ｃｍから６０ｃｍ程度のものが好適に用いられる。また、錘収納チューブの大きさにも特に制限はないが、直径５ｃｍから１２ｃｍ程度、全長が１５ｃｍから５０ｃｍ程度のものが好適に用いられる。錘収納チューブの重さとしては、特に制限はないが、０．５Ｋｇから２Ｋｇ程度のものが好適に用いられる。
【００２１】
請求項４に記載の考案は、請求項３に記載の運動器具であって、前記筒状分体の、前記接続部を覆う覆い布を備えている構成を有している。
この構成により、請求項３で得られる作用に加え、以下の様な作用が得られる。
（１）接続部を覆うことによって筒状分体接続時の外観を向上させることができる。
（２）覆い布を外観上のアクセントにすることも可能なので、デザインの幅が広がる。
（３）ジッパー等の接続部を覆い隠すことによって、皮膚や髪、衣類等が接続部に引っ掛かり傷付くことを防ぐので安全性に優れる。
【００２２】
覆い布としては普通筒状体と同一の素材を用いるが、その他に布や網地、帆布、皮革、人工皮革、合成樹脂製シート、ゴム製シート等の柔軟性のある素材であれば使用することができる。覆い布は筒状体同士の接続部を覆うように予め縫着・接着・溶着等の接合手段で、筒状分体同士を接続する接続部に近接して筒状分体上に接合されていても良いし、筒状分体同士を接続した際にその接続部に、接続部を覆う様に面ファスナー等で覆い布を張り付けても良い。
【００２３】
請求項５に記載の考案は、請求項１乃至４のうちいずれか一項に記載の運動器具であって、前記バンド部又は前記把持部が前記筒状体又は前記筒状分体内部に収容可能になっている構成を有している。
この構成により、請求項１乃至４のうちいずれか一項で得られる作用に加え、以下の様な作用が得られる。
（１）バンド部又は把持部を筒状体もしくは筒状分体内部に収容することで、枕等として使用する際に邪魔にならない。
【００２４】
ここで、筒状体もしくは筒状分体へバンド部又は把持部を収納する方法としては、バンド部又は把持部の取り付け位置と一致する筒状体表面上の位置に収容口を設け更にその内部に収納袋を設けて、バンド部又は把持部を潜り込ませる方法等が考えられる。
【考案の効果】
【００２５】
以上の様に構成された本考案の運動器具によれば、以下の様な効果が得られる。
請求項１に記載の考案によれば、以下の様な効果を有する。
（１）適宜ウエイト部材の量を調節することで重量の調節ができ、更に錘収納チューブの本数も適宜調節可能なので、熟練度に従い重量を増加させたり、使用者の年齢や性別等によってあるいはトレーニング量や程度によって重量を調節する等、熟練度・使用者の年齢や性別・トレーニング内容に幅広く対応できる汎用性の高い運動器具を提供できる。
（２）錘収納チューブを使用するので、組み立てが簡単で誰でもできる運動器具を提供することができる。
（３）筒状体に設けられたバンド部又は把持部によって様々な運動パターンが可能となり、トレーニング内容を豊富にする運動器具を提供する事ができる。
（４）錘収納チューブに弾性又は柔軟性の素材を使用し、筒状体に布や網地、帆布、皮革、人工皮革、弾性素材等を使用する事により重量物でありながら、万が一足元に落としたり、周囲の人にぶつけたりしてもその柔軟性により怪我を防ぎ、安全性に優れた運動器具を得ることができる。また、ウエイト部材を排出することにより小さく折りたたむことができるのでコンパクト性があり、携帯性に優れ、旅行先等任意の場所でトレーニングをする事が可能な運動器具を提供できる。
（５）枕や抱き枕として使用した場合、水やお湯を充填することで冷感や温感を長時間持続できるので、優れた安眠効果を得ることができる。また、小さくに折りたたんで旅先に携帯していけるので、旅先でも同様の安眠効果を得られる運動器具を提供する事ができる。
（６）バンド部等を設けることにより、足等に固定する事もでき、幅広い運動パターンでのトレーニングができ、トレーニング内容を豊富にする運動器具を提供することができる。
（７）部品点数が少なく、構造が簡易なので低原価で量産可能な運動器具を提供することができる。
【００２６】
請求項２に記載の考案によれば、請求項１の効果に加え、以下の様な効果が得られる。
（１）トレーニング中の動きで錘収納チューブの位置がずれることが無いので、全体としての定型性が向上し、大きな動作を必要とするトレーニングでも使用し易い運動器具を提供することができる。
（２）一枚の生地で収容ポケットを形成する場合、収容ポケットを備えた筒状体の製造が容易になり、生産性に優れた運動器具を提供することができる。
【００２７】
請求項３に記載の考案によれば、請求項１乃至２のうちいずれか一項の効果に加え、以下の様な効果が得られる。
（１）筒状体を複数の筒状分体に分離可能なので、幅広い運動パターンでトレーニング可能となり、トレーニング内容を豊富にする運動器具を提供することができる。
【００２８】
請求項４に記載の考案によれば、請求項３の効果に加え、以下の様な効果が得られる。
（１）覆い布を備えているので、トレーニング中や水枕及び抱き枕として使用する際、接続手段と身体との接触を防ぎ安全性に優れるうえ、外観も向上するので水枕や抱き枕としてのインテリア性にも優れる運動器具を提供することができる。
【００２９】
請求項５に記載の考案によれば、請求項１乃至４のうちいずれか一項の効果に加え、以下の様な効果が得られる。
（１）バンド部又は把持部を収容可能なので、不使用時あるいは水枕や抱き枕としての外観に優れインテリア性も向上するうえ、水枕や抱き枕として使用する際にバンド部及び把持部が気にならないので心地よい睡眠を得やすい運動器具を提供することができる。
【図面の簡単な説明】
【００３０】
【図１】実施の形態１の運動器具における筒状体の側面図
【図２】実施の形態１の運動器具における筒状体の正面斜視図
【図３】実施の形態１の運動器具における筒状体の展開図
【図４】実施の形態１の運動器具における錘収納チューブの正面斜視図
【図５】実施の形態１における運動器具の正面斜視図
【図６】実施の形態１の運動器具における運動器具の収納状態を表す斜視図
【図７】実施の形態２の運動器具における筒状体の側面図
【図８】実施の形態２の運動器具における筒状体の正面斜視図
【図９】実施の形態２の運動器具における筒状分体の正面斜視図
【図１０】実施の形態２の運動器具における筒状体の展開図
【図１１】実施の形態２の運動器具における錘収納チューブの正面斜視図
【図１２】実施の形態２における運動器具の正面斜視図
【考案を実施するための形態】
【００３１】
（実施の形態１）
本考案の実施の形態１における運動器具について、以下図面を参照しながら説明する。
図１は筒状体の側面図、図２は筒状体の正面斜視図、図３は筒状体の展開図、図４は錘収納チューブの正面斜視図、図５は運動器具の正面斜視図、図６は運動器具の収納状態を示す斜視図である。
図１乃至図６中、１は帆布や人工皮革の筒状体、２は筒状体１の表生地、３は筒状体１の表生地２に縫設されて形成された隔壁、４は筒状体１と隔壁３との間に形成された収容ポケット、５は筒状体１の上端と下端に延設された開閉口部、５ａは開閉口部５の端部の紐挿通部、６は開閉口部５を開閉する紐挿通部５ａに挿通された開閉用紐、７は開閉用紐６のストッパー、８は筒状体１の底部、９は筒状体１に外周面の同軸上に設けられた把持部、１０は３つの凸部を備えた隔壁３を形成する隔壁用生地、１１は表生地２と隔壁用生地１０を縫設する縫設部、１２はポリエチレン製の錘収納チューブ、１３は錘収納チューブ１２の給排口部、１４は給排口部１３を封止するスクリューキャップである。
筒状本体１の表用生地２と隔壁用生地１０と把持部９と底部８には厚手のナイロン生地を使用し、各々を縫設によって接合した。開閉口部５にはナイロン製の紐とストッパーを使用して絞ることで開閉する方法を採用した。筒状本体１の大きさは直径が約１６ｃｍ、全長が約８０ｃｍとした。錘収納チューブ１２にはポリエチレン製のチューブを使用し、給排口部形状はスクリューキャップ構造を採用した。錘収納チューブの大きさは直径が約６ｃｍ、全長が約７０ｃｍとした。また、錘収納チューブ１２の本数は３本とし、錘収納チューブ１２の充填容量を水を充填した場合に２Ｋｇとなる様に設計した。把持部９については、片手幅程度の把持部を肩幅程度の位置に、片手に一つずつ筒状本体に同軸直線上に設けた。
【００３２】
次に、本実施の形態１の運動器具の製造方法を説明する。
筒状体１の製造方法については、まず表生地２の開閉口部５に相当する生地端に、開閉用紐６を通す為の紐挿通部５ａを形成する。次いで表生地２と隔壁用生地１０とを、筒状体１の周面部を構成する生地端部分同士を重ねて縫設する。その後、錘収納チューブ１２を収容する収容ポケット４を形成するため、表生地２と隔壁用生地１０との間に錘収容チューブ１２が入る程度の空間を３つ形成し、隔壁用生地１０に凸状部を３つ作る。そして凸状部と凸状部との間の谷を表生地２へ縫設する。この後、凸状部を内側にして筒状に丸め、筒状体１の周面部を形成する生地端同士を縫設して筒状にし、開閉口部と逆の端部に底部８を縫設して形成し、把持部９を縫設する。次に開閉口部５の端部の挿通部５ａに開閉用紐６を通し、ストッパー７を装着して筒状体１を製造した。
水が３Ｋｇ入る錘収納チューブ１２については、前記筒状体１の軸方向の長さと略同一の長さを有するポリエチレン製のチューブに同じくポリエチレン製の円盤を底部としてシリコン接着剤で接着し、給排口部１３にスクリューキャップ１４を同じくシリコン接着剤で接着して製造した。本実施の形態１の運動器具ではこの錘収納チューブ１２を計３本使用できる。
【００３３】
以上の様に製造された本実施の形態１の運動器具について以下使用方法を説明する。
本実施の形態１の運動器具は、錘収納チューブ１２に錘となる水を充填し、筒状体１の収容ポケット４へ収容して、開閉口部５を開閉用紐６で絞り、ストッパー７で絞りを固定して使用可能な状態となる。
熟練度・使用者等の年齢や性別・トレーニング内容によって、錘充填チューブ１２内の水の量を増減して適切な重量に調節できる。ウエイト部材としては水だけではなく、小麦粉等の粉状体や砂等の粒状体を使用してもよい。
トレーニング中は様々な運動パターンで運動ができる。そして運動器具全体で柔軟性が確保されているため、足に落としたり他人にぶつけても安全である。
また、錘収納チューブ１２の代わりに図示しないペットボトルを使用することもできる。例えば、収納ポケット４内にウエイト部材を収納した使用済みの５００ｍｌのペットボトルを筒状体１の軸方向に沿って直線状に連続して収容する。この場合、重量調節作業を筒状体からペットボトルを一つずつ取りだすだけで実現できるようになり利便性に優れるうえ、廃棄物を再利用した運動器具を提供することができる。この様にペットボトルを用いて構成された本実施の形態１の運動器具は、例えば男性が使用するときには５００ｍｌのペットボトル２１本を３つの収容ポケット４へ７本ずつ収容して１１Ｋｇ程度に設定し、女性が使用するときはペットボトルを半分程度取り出して５Ｋｇ程度に重量調節することができる。ペットボトルの数を減らして重量を下げた時に重心の位置が定まり難くなりトレーニングに支障が出るときは、ウエイト部材が充填されていない空のペットボトルを収容ポケット４内の中央付近に配置して筒状体１の両端で重量のバランスを取ることで重心を容易に安定化することができる。
【００３４】
次に本実施の形態１の運動器具の収納方法を説明する。図６は運動器具の収納状態を表す斜視図である。トレーニング後は筒状本体１から錘収納チューブ１２を取り出して内部のウエイト部材を排出して長手方向に丸め、更に筒状体１も同様に長手方向に丸めて収納する。また、丸めた錘収納チューブ１２と丸めた筒状分体１を図示しない収納袋に収納しても良いし、筒状本体１の収容ポケット４へ水を排出した錘収納チューブ１２を入れた状態でコンパクトに丸めても良い。本実施の形態１の運動器具はこのようにコンパクト性に優れるので収納に場所をとらないうえに携帯性に優れる。収納袋に収納した場合は、持ち運びが便利になるので旅行等に持っていき、旅行先でトレーニングをすることができる。
【００３５】
また、錘収納チューブに水もしくはお湯を充填すれば水枕や抱き枕として使用することもできる。この場合、６Ｋｇもの水もしくはお湯が入っているので冷感もしくは温感を長時間持続できる。
【００３６】
（実施の形態２）
本考案の実施の形態２における運動器具について、以下図面を参照しながら説明する。
図７は筒状体の側面図、図８は筒状体の正面斜視図、図９は筒状分体の正面斜視図、図１０は筒状分体の展開図、図１１は錘収納チューブの正面斜視図、図１２は運動器具の正面斜視図である。
図７乃至図１２中、１５は帆布や人工皮革の筒状分体、１６は筒状分体１５の表生地、１７は筒状分体１５の表生地１６に縫設されて形成された隔壁、１８は筒状分体１５と隔壁１７との間に形成された４個の収容ポケット、１９は筒状分体１５の開閉口部、２０は開閉口部１９を開閉するための蓋部、２１は蓋部２０と筒状体１５とを接続する蓋部ジッパー、２２は筒状分体１５の底部、２３は筒状分体１５同士を接続するための接続ジッパー、２４は筒状分体１５の接続ジッパー２３を覆う様に接着された覆い布、２５は筒状体１５に一直線に設けられた把持部、２６は隔壁１７を形成する隔壁用生地、２７は表生地１６と隔壁用生地２６を接着する接着部、２８は筒状分体１５を形成する際の縫設部、２９はポリエチレン製の錘収納チューブ、３０は錘収納チューブ２９の給排口部、３１は給排口部３０を封止するスクリューキャップ、３２は筒状分体１４が接続ジッパー２３で互いに接続されてできた筒状体である。
筒状分体１５の表生地１６と蓋部２０と覆い布２４と把持部２５と隔壁用生地２６と底部２２には人工皮革を使用し、各々を接着もしくは縫設によって接合した。筒状分体１５の各々の大きさは直径が約１６ｃｍ、全長約４０ｃｍとした。開閉口部１９の開閉方法には蓋部２０と蓋部ジッパー２１で開閉する方法を採用した。錘収納チューブ２９にはゴム製のチューブを使用し、給排口部形状はスクリューキャップ構造を採用した。錘収納チューブの大きさは直径が約６ｃｍ×全長が３０ｃｍとした。また、錘収納チューブの本数は一つの筒状分体につき４本とし、錘収納チューブ２９の１本の充填容量を水を充填した場合約０．９Ｋｇとなる様に設計した。把持部２５については、筒状分体１４の接続ジッパー２３付近から蓋部ジッパー２１付近まで同軸直線上に設け、かつ筒状分体１５を一体化して筒状体３２にした場合に両筒状分体１５上の把持部２５が同軸直線上に並ぶ様に設けた。
【００３７】
次に、本実施の形態２の運動器具の製造方法を説明する。
筒状分体１５の製造方法については、まず表生地１６の開閉口部１９に相当する生地端に蓋部ジッパー２１を縫設し、更に筒状本体１５同士を接続する部位に相当する生地端に接続ジッパー２３を縫設し、その後各々のジッパーを覆う様に覆い布２４を各々のジッパーのごく近傍の筒状分体１５の外周面に接着する。この時、覆い布２４と各々のジッパーとが触れ合う部位は接着しない。次いで表生地１６と隔壁用生地２６とを、筒状分体１５の周面部を構成する生地端部分同士を重ねて縫設する。その後、錘収納チューブ２９を収容する収容ポケット１８を形成するため、表生地１６と隔壁用生地２６との間に錘収容チューブ２９が入る程度の空間を４つ形成し、隔壁用生地に山ひだを４つ作る。そして山ひだと山ひだとの間の谷を表生地１６へ接着する。この後、山ひだを内側にして筒状に丸め、筒状分体１５の周面部を形成する生地端同士を縫設して筒状にし、開閉口部１９と逆の端部に底部２２を縫設して形成し、把持部２６を縫設する。次に開閉口部１９へ蓋部２０を縫設して、蓋部ジッパー２１を縫設した。そしてして筒状分体１５を製造した。
錘収納チューブ２９については、筒状分体１５の軸方向の長さと略同一の長さを有しかつ底部を有するゴム製のチューブに給排口部３０へスクリューキャップ３１をシリコン接着剤で接着して製造した。本実施の形態２の運動器具では、この錘収納チューブ２９を計８本使用できる。
【００３８】
以上の様に製造された本実施の形態２の運動器具について以下使用方法を説明する。
本実施の形態２の運動器具は、錘収納チューブ２９に水を充填し、筒状分体１５の収容ポケット１８へ収容して、開閉口部１９と蓋部２０とを蓋部ジッパー２１で固定して使用可能な状態となる。更には両筒状分体１５同士を接続ジッパー２３を介して一体化させて筒状体３２として使用することもできる。
熟練度・使用者等の年齢や性別・トレーニング内容によって、錘収納チューブ２９内の水の量を増減して適切な重量に調節できる。ウエイト部材としては水だけではなく、小麦粉等の粉状体や砂等の粒状体を使用できる。
そして、筒状分体１５が互いに接続されて筒状体３２となっている時はバーベルの様に使用でき、筒状体３２を筒状分体１５に分割した場合はダンベルの様にも使用できるので運動パターンの豊富なトレーニングが可能である。
トレーニング中は様々な運動パターンにて運動ができる。ぞして運動器具全体で柔軟性が確保されているため、足に落としたり他人にぶつけても安全である。
また、錘収納チューブ２９の代わりに図示しないペットボトルを使用することもできる。例えば、収納ポケット１８内にウエイト部材を収納した使用済みの５００ｍｌのペットボトルを筒状分体１５の軸方向に沿って直線状に連続して収容する。この場合、重量調節作業を筒状分体１５からペットボトルを一つずつ取りだすだけで実現できるようになり利便性に優れるうえ、廃棄物を再利用した運動器具を提供することができる。この様にペットボトルを用いて構成された本実施の形態２の運動器具は、例えば男性が使用するときには５００ｍｌのペットボトル１６本を二つの筒状分体１５の８つの収容ポケット１８の各々へ２本ずつ収容して筒状体３２全体で８Ｋｇ程度に設定し、女性が使用するときはペットボトルを半分程度取り出して筒状体３２全体で４Ｋｇ程度に重量調節することができる。ペットボトルの数を減らして重量を下げた時に重心の位置が定まり難くなりトレーニングに支障が出るときは、ウエイト部材が充填されていない空のペットボトルを筒状本体３２の中央付近に配置して筒状本体３２の両端で重量のバランスを取ることで重心を容易に安定化することができる。
【００３９】
次に本実施の形態２の運動器具の収納方法を説明する。トレーニング後は筒状分体１５から錘収納チューブ２９を取り出して内部のウエイト部材を排出して長手方向に丸め、更に筒状分体１５も同様に長手方向に丸めて収納する。また、丸めた錘収納チューブ２９と丸めた筒状分体１５を収納袋に収納しても良いし、筒状分体１５の収容ポケット１８へ水を排出した錘収納チューブ２９を入れた状態でコンパクトに丸めても良い。本実施の形態２の運動器具はこのようにコンパクト性に優れるので収納に場所をとらないうえに携帯性に優れる。収納袋に収納した場合は、持ち運びが便利になるので旅行等に持っていき、旅行先でトレーニングをすることができる。
【００４０】
また、錘収納チューブ２９に水もしくはお湯を充填すれば水枕や抱き枕として使用することもできる。この場合、７．２Ｋｇもの水もしくはお湯が入っているので冷感もしくは温感を長時間持続できる。
そして、接続ジッパー２３が覆い布２４で覆われているのでトレーニング中及び水枕や抱き枕として使用した際に身体と接続ジッパー２３が直接接触することなく、安全である。
【産業上の利用可能性】
【００４１】
本考案における運動器具は、手軽でコンパクト性があって、携帯性に優れ、著しく優れた安全性を有し、かつ熟練度・使用者・トレーニング内容に幅広く対応でき、更に製造が容易で特殊な製造機器等も不要なので生産性に優れる。
【符号の説明】
【００４２】
１、３２  筒状体
２、１６  表生地
３、１７  隔壁
４、１８  収容ポケット
５、１９  開閉口部
５ａ  紐挿通部
６  開閉用紐
７  ストッパー
８、２２  底部
９、２５  把持部
１０、２６  隔壁用生地
１１、２８  縫設部
１２、２９  錘収納チューブ
１３、３０  給排口部
１４、３１  スクリューキャップ
１５  筒状分体
２０  蓋部
２１  蓋部ジッパー
２３  接続ジッパー
２４  覆い布
２７  接着部
【図１】
0003154420.tif 000003
【図２】
0003154420.tif 000004
【図３】
0003154420.tif 000005
【図４】
0003154420.tif 000006
【図５】
0003154420.tif 000007
【図６】
0003154420.tif 000008
【図７】
0003154420.tif 000009
【図８】
0003154420.tif 000010
【図９】
0003154420.tif 000011
【図１０】
0003154420.tif 000012
【図１１】
0003154420.tif 000013
【図１２】
0003154420.tif 000014